(57)【要約】【課題】  本発明は、複数の電圧制御発振器の発振周波数特性の切替機能を有するフェイズロックドループの発振周波数範囲の検査を容易にする。【解決手段】  本発明の通信端末装置は、通信処理部に用いるVCOブロック１５の発振周波数特性の切替機能を有するPLL周波数シンセサイザは、所望の周波数とVCOブロック１５の発振周波数との位相差を検出して位相差に応じた電圧Vcontを出力する位相比較器１３と、所望の周波数及びVCOブロック１５の発振周波数に基づいてバンド選択信号BSを生成してVCOブロック１５の発振周波数の選択を行うバンド選択回路１２と、Vcontに対して、VCOブロック１５の発振周波数特性間で重なり部分を有するように構成され、Vcontに基づいてバンド選択信号BSにより複数の発振周波数を生成するCOブロック１５と、を備えたものである。【選択図】        図２
2005151458.tif 000002
【特許請求の範囲】
【請求項１】
無線通信を介して入力された送信すべき情報に対して通信処理部で通信処理を施して送信する通信端末装置において、
上記通信処理部に用いる複数の電圧制御発振器の発振周波数特性の切替機能を有するフェイズロックドループは、
所望の周波数と上記複数の電圧制御発振器の発振周波数との位相差を検出して上記位相差に応じた電圧を出力する位相比較手段と、
上記所望の周波数及び上記複数の電圧制御発振器の発振周波数に基づいて選択信号を生成して上記複数の電圧制御発振器の発振周波数の選択を行う選択手段と、
上記位相差に応じた電圧に対して、上記複数の電圧制御発振器の発振周波数特性間で重なり部分を有するように構成され、上記位相差に応じた電圧に基づいて上記選択信号により複数の発振周波数を生成する複数の電圧制御発振器手段と、
を備えたことを特徴とする通信端末装置。
【請求項２】
請求項１記載の通信端末装置において、
上記位相差に応じた電圧に対する上記複数の電圧制御発振器の発振周波数特性間の重なり部分は、上記複数の電圧制御発振器の共振回路の容量を可変することにより設けることを特徴とする通信端末装置。
【請求項３】
請求項１記載の通信端末装置において、
上記位相差に応じた電圧の最大値よりも小さい値及び最小値よりも大きい値の間で上記選択信号により上記複数の電圧制御発振器の発振周波数特性間の切替を行うことを特徴とする通信端末装置。
【請求項４】
無線通信を介して入力された送信すべき情報に対して通信処理を施して通信端末装置により送信する通信方法において、
上記通信処理部に用いる複数の電圧制御発振器の発振周波数特性の切替機能を有するフェイズロックドループは、
所望の周波数と上記複数の電圧制御発振器の発振周波数との位相差を検出して上記位相差に応じた電圧を位相比較手段により出力するステップと、
上記所望の周波数及び上記複数の電圧制御発振器の発振周波数に基づいて選択信号を生成して上記複数の電圧制御発振器の発振周波数の選択を選択手段により行うステップと、
上記位相差に応じた電圧に対して、上記複数の電圧制御発振器の発振周波数特性間で重なり部分を有するように構成され、上記位相差に応じた電圧に基づいて上記選択信号により複数の発振周波数を複数の電圧制御発振器手段により生成するステップと、
を備えたことを特徴とする通信方法。
【請求項５】
請求項４記載の通信方法において、
上記位相差に応じた電圧に対する上記複数の電圧制御発振器の発振周波数特性間の重なり部分は、上記複数の電圧制御発振器の共振回路の容量を可変することにより設けることを特徴とする通信方法。
【請求項６】
請求項４記載の通信方法において、
上記位相差に応じた電圧の最大値よりも小さい値及び最小値よりも大きい値の間で上記選択信号により上記複数の電圧制御発振器の発振周波数特性間の切替を行うことを特徴とする通信方法。
【発明の詳細な説明】
【技術分野】
【０００１】
本発明は、通信端末装置の通信処理部に用いる複数の電圧制御発振器により発振周波数が可変周波数範囲の拡大が可能な通信端末装置および通信方法に関する。
【背景技術】
【０００２】
特許文献1には、CMOS(complementary metal-oxide-semiconductor)プロセスによるIC(integrated circuit)内蔵の共振型電圧制御発振器において変換特性の線形範囲を広げるために、共振回路と負性抵抗回路と複数の可変容量素子をもち、その複数の可変容量素子にレベルシフト回路により制御電圧を所定値ずつシフトして印加することにより、制御電圧に対する発振周波数の線形領域を拡大する電圧制御発振器が開示されている。
【０００３】
図６は、従来のVCO(voltage controlled oscillator)切り替え機能を持つPLL(phase locked loop)周波数シンセサイザを示す構成図である。図６において、PLL周波数シンセサイザは、所望の周波数信号を発生するリファレンス信号発生器６１と、所望の周波数と複数の電圧制御発振器を有するVCOブロック６５の発振周波数との位相差を検出して位相差に応じた電圧を出力する位相比較器６３と、位相差に応じた電圧を平滑化処理するループフィルタ６４と、を有して構成される。
【０００４】
また、PLL周波数シンセサイザは、所望の周波数及び複数の電圧制御発振器の発振周波数に基づいてバンド選択信号BSを生成してVCOブロック６５の複数の電圧制御発振器の発振周波数の選択を行うバンド選択回路６２と、位相差に応じた電圧に基づいてバンド選択信号BSにより複数の電圧制御発振器（VCO１）６５−１、（VCO２）６５−２，（VCO３）６５−３の発振周波数特性を選択して複数の発振周波数を生成するVCOブロック６５と、VCOブロック６５の発振周波数を分周する分周器６６とを有して構成される。
【０００５】
このように構成された従来のVCO切り替え機能を持つPLL周波数シンセサイザは、以下のような動作をする。リファレンス信号発生器６１からの所望の周波数信号とVCOブロック６５の複数の電圧制御発振器の発振周波数を分周器６６で分周した信号との位相差を位相比較器６３で検出して位相差に応じた電圧を出力する。位相比較器６３からの位相差に応じた電圧をループフィルタ６４で平滑化処理して、VCOブロック６５の制御電圧Vcontを生成するチャージポンプとして機能する。
【０００６】
ループフィルタ６４で平滑化処理された位相差に応じた電圧に基づいてバンド選択信号BSによりVCOブロック６５の複数の電圧制御発振器（VCO１）６５−１、（VCO２）６５−２，（VCO３）６５−３の発振周波数特性を選択して複数の発振周波数を生成するように制御することで、所望の周波数を得ることができる。
【０００７】
ここで、VCOブロック６５の複数の電圧制御発振器（VCO１）６５−１、（VCO２）６５−２，（VCO３）６５−３の発振周波数特性を、バンド選択回路６２からのバンド選択信号BSにより切り替えることにより可変周波数範囲の拡大が可能になっている。VCOブロック６５においては、共振回路の一部であるインダクタンスLのばらつきにより発振周波数がばらつく。そのためPLL周波数シンセサイザを通信端末装置の通信処理部に搭載した状態で、設計仕様となる所望の周波数範囲をカバーできているか否かを検査する必要がある。所望の周波数の範囲の検査は、VCOモニタ端子６８から出力される周波数をオシロスコープでモニタすることで検査する。
【０００８】
図７は、従来のVCOブロックの構成例を示す図である。図７において、VCOブロックは、インダクタンスL及びコンデンサCからなる共振回路７１と、位相差に応じた電圧Vcont７５が信号出力側に入力される可変容量素子７２と、バンド選択信号BSにより切り替え可能なスイッチSW１１及びスイッチSW１２を有する可変容量素子７３及び可変容量素子７４とが並列に設けられている。
【０００９】
なお、図７に示した従来のVCOブロックの構成例では、共振回路７１に対して並列に設けられる容量は、可変容量素子７２によるＣ、可変容量素子７３によるＣと、可変容量素子７４によるＣとである。これに応じて、ｆ＝１／２π√（ＬＣ）によりVCOブロック６５の複数の電圧制御発振器の発振周波数特性が得られるように構成される。
【００１０】
図８は、従来の３VCOの制御電圧Vcontと発振周波数Fの関係を示す図である。図８において、発振周波数の切替は、以下のように行われる。
まず、バンド選択信号BSにより８３で示すVCO１の発振周波数特性を選択する。このとき、バンド選択信号BSによりスイッチSW１１及びスイッチSW１２は共にオンの状態であるため、可変容量素子７３及び可変容量素子７４は共に共振回路７１に対して並列に設けられる。このとき、Ｔ１１時点〜Ｔ１２時点で制御電圧Vcontにチャージポンプの電圧レンジVmin 〜Vmaxまで印加する。
【００１１】
その後に、バンド選択信号BSにより８２で示すVCO２の発振周波数特性を選択する。このとき、バンド選択信号BSによりスイッチSW１１又はスイッチSW１２のいずれかがオンの状態であるため、可変容量素子７３又は可変容量素子７４のいずれかは共振回路７１に対して並列に設けられる。このとき、Ｔ１３時点〜Ｔ１４時点で制御電圧Vcontにチャージポンプの電圧レンジVmin 〜Vmaxまで印加する。
【００１２】
また、その後に、バンド選択信号BSにより８１で示すVCO３の発振周波数特性を選択する。このとき、バンド選択信号BSによりスイッチSW１１及びスイッチSW１２は共にオフの状態であるため、可変容量素子７３及び可変容量素子７４は共に共振回路７１に対して並列に設けられない。このとき、Ｔ１５時点〜Ｔ１６時点で制御電圧Vcontにチャージポンプの電圧レンジVmin 〜Vmaxまで印加する。
これにより、周波数範囲fmin 〜fmaxまでの発振周波数を選択することができる。
【特許文献１】特開2001-352218号公報
【発明の開示】
【発明が解決しようとする課題】
【００１３】
上述した従来のVCO切り替え機能を持つPLL周波数シンセサイザのVCOブロックでは、チャージポンプの電圧レンジVmin〜Vmaxの範囲内で設計仕様となる所望の周波数範囲fmin〜fmaxをカバーしていることを確認するために、従来はバンド選択信号BSにより８３で示すVCO１の発振周波数特性を選択し、Ｔ１１時点で制御電圧VcontにVminの電圧を印加したときの発振周波数がfmin以下であること、また、バンド選択信号BSにより８１で示すVCO１の発振周波数特性を選択し、Ｔ１６時点で制御電圧VcontにVmaxの電圧を印加したときの発振周波数がfmax以上であることをそれぞれVCOモニタ端子６８から出力される周波数をオシロスコープでモニタすることで検査していた。
【００１４】
このため、従来の所望の周波数の範囲の検査は、発振周波数の測定で高周波を扱うために高価な検査設備を必要とし、通常検査レベルを超えた高周波の測定をするため工場検査の工程に別途高周波検査工程を設けなければならず負担がかかるという不都合があった。
【００１５】
そこで、本発明は、携帯端末装置の通信処理部に用いる複数の電圧制御発振器の発振周波数特性の切替機能を有するフェイズロックドループの発振周波数範囲の検査を容易にすることができる通信端末装置および通信方法を提供することを課題とする。
【課題を解決するための手段】
【００１６】
上記課題を解決し、本発明の目的を達成するため、本発明の通信端末装置は、通信処理部に用いる複数の電圧制御発振器の発振周波数特性の切替機能を有するフェイズロックドループは、所望の周波数と複数の電圧制御発振器の発振周波数との位相差を検出して位相差に応じた電圧を出力する位相比較手段と、所望の周波数及び複数の電圧制御発振器の発振周波数に基づいて選択信号を生成して複数の電圧制御発振器の発振周波数の選択を行う選択手段と、位相差に応じた電圧に対して、複数の電圧制御発振器の発振周波数特性間で重なり部分を有するように構成され、位相差に応じた電圧に基づいて選択信号により複数の発振周波数を生成する複数の電圧制御発振器手段と、を備えたものである。
【００１７】
これにより、位相差に応じた電圧に対して、複数の電圧制御発振器の発振周波数特性間で重なり部分を有するように構成されることにより、位相差に応じた電圧の最大値よりも小さい値及び最小値よりも大きい値の間で選択信号により複数の電圧制御発振器の発振周波数特性間の切替を行うことにより、要求される最高周波数から最低周波数範囲までの発振周波数を選択することができる。
【００１８】
また、本発明の通信方法は、通信処理部に用いる複数の電圧制御発振器の発振周波数特性の切替機能を有するフェイズロックドループは、所望の周波数と複数の電圧制御発振器の発振周波数との位相差を検出して位相差に応じた電圧を位相比較手段により出力するステップと、所望の周波数及び複数の電圧制御発振器の発振周波数に基づいて選択信号を生成して複数の電圧制御発振器の発振周波数の選択を選択手段により行うステップと、位相差に応じた電圧に対して、複数の電圧制御発振器の発振周波数特性間で重なり部分を有するように構成され、位相差に応じた電圧に基づいて選択信号により複数の発振周波数を複数の電圧制御発振器手段により生成するステップと、を備えたものである。
【００１９】
これにより、位相差に応じた電圧に対して、複数の電圧制御発振器の発振周波数特性間で重なり部分を有するように構成されることにより、位相差に応じた電圧の最大値よりも小さい値及び最小値よりも大きい値の間で選択信号により複数の電圧制御発振器の発振周波数特性間の切替を行うことにより、要求される最高周波数から最低周波数範囲までの発振周波数を選択することができる。
【発明の効果】
【００２０】
本発明の通信端末装置によれば、複数の電圧制御発振器の発振周波数特性の切替機能を有するフェイズロックドループの発振周波数範囲の検査を容易にすることができるので、従来必要であった高周波の発振周波数の測定のために高価な検査設備を削減することができ、通常検査レベルを超えた高周波の測定をするための別途高周波検査工程も不要となり、工場における通常の検査工程で検査を行うことができる。
【００２１】
また、本発明の通信方法によれば、複数の電圧制御発振器の発振周波数特性の切替機能を有するフェイズロックドループの発振周波数範囲の検査を簡易な処理でできるので、従来必要であった高周波の発振周波数の測定のために高価な検査設備を不要とし、通常検査レベルを超えた高周波の測定をするための別途高周波検査工程を削減することができ、工場における通常の検査工程で検査を行うことができる。
【発明を実施するための最良の形態】
【００２２】
図１は、本発明の実施の形態の通信端末装置が適用される携帯端末装置の構成を示すブロック図である。この携帯端末装置は、例えば、W−CDMA（Wideband‐Code Division Multiple Access）方式に適用可能な構成を想定している。
【００２３】
送信時には、通信処理部３において、レイヤ１（物理レイヤ）が処理を行うデータの基本単位（MAC（Medium Access Control）レイヤからレイヤ１にデータが転送される単位）であるトランスポートブロック（TB：Transport Block）毎にブロック誤りを検出するためのCRC（Cyclic Redundancy Check）符号を付加後、チャンネル符号化（誤り訂正符号化）及びインターリーブされる。
【００２４】
インターリーブ後のビット系列は、チャンネル推定のためのパイロットビット等のオーバーヘッドを付加された後、データ変調される。データ変調マッピングされた位相平面上の同相及び直交成分は、それぞれ２階層の拡散符号系列で拡散される。
【００２５】
拡散後のチップデータ系列は、自乗余弦ルートナイキストフィルタで５MHZ帯域に帯域制限された後、D/A変換器でアナログ信号に変換後、直交変換される。ＲＦ処理部２において直交変換された中間周波数信号はさらに２GHZ帯のRF信号に周波数変換後、電力増幅されてアンテナ１を介して無線通信により送信される。
【００２６】
受信時には、図１において、携帯端末装置にアンテナ１を介して無線通信により入力した受信信号は、RF処理部２において低雑音増幅器で増幅され、高周波数から中間周波数に周波数変換された後、自動利得制御増幅器で線形増幅される。
【００２７】
また、通信処理部３において、増幅後の信号は直交検波されて、同相及び直交成分を生じる。この同相及び直交成分のアナログ信号は、A/D変換器でディジタル信号に変換される。さらにディジタル値変換された同相及び直交成分はルートナイキストフィルタで帯域制限後、拡散された受信信号の拡散符号と同一の拡散符号で、逆拡散することにより、伝搬遅延時間の異なる複数のマルチパス成分に時間分離される。
【００２８】
時間分離されたパスはコヒーレントレイク合成され、レイク合成後のデータ系列は、デインターリーブ及びチャネル復号による誤り訂正復号の後、２値のデータ判定が行われ、送信データ系列が再生される。再生データ系列から各トランスポートチャネルへの分離およびブロック誤りの検出が行われ、再生データが出力される。
【００２９】
出力された再生データは制御部５の上位レイヤのアプリケーションソフトウエア処理部に転送される。ユーザーがキー入力部４にキー入力することにより、制御部５の上位レイヤのアプリケーションソフトウエア処理部は表示部６に再生データおよび再生状態の表示を行う。
【００３０】
上述した携帯端末装置の通信処理部３において、本発明の実施の形態の通信装置が適用される。以下、この通信装置について説明する。
【００３１】
図２は、本発明の実施の形態の通信装置のVCO切り替え機能を持つＰＬＬ周波数シンセサイザを示すハードウエア構成図である。図２において、PLL周波数シンセサイザは、所望の周波数信号を発生するリファレンス信号発生器１１と、所望の周波数と複数の電圧制御発振器を有するVCOブロック１５の発振周波数との位相差を検出して位相差に応じた電圧を出力する位相比較器１３と、位相差に応じた電圧を平滑化処理するループフィルタ１４と、を有して構成される。
【００３２】
また、PLL周波数シンセサイザは、所望の周波数及び複数の電圧制御発振器の発振周波数に基づいてバンド選択信号BSを生成してVCOブロック１５の複数の電圧制御発振器の発振周波数の選択を行うバンド選択回路１２と、位相差に応じた電圧に対して、VCOブロック１５の複数の電圧制御発振器の発振周波数特性間で重なり部分を有するように構成され、位相差に応じた電圧に基づいてバンド選択信号BSにより複数の電圧制御発振器（VCO１）１５−１、（VCO２）１５−２，（VCO３）１５−３の発振周波数特性を選択して複数の発振周波数を生成するVCOブロック１５と、VCOブロック１５の発振周波数を分周する分周器１６とを有して構成される。
【００３３】
このように構成された従来のVCO切り替え機能を持つPLL周波数シンセサイザは、以下のような動作をする。リファレンス信号発生器１１からの所望の周波数信号とVCOブロック１５の複数の電圧制御発振器の発振周波数を分周器１６で分周した信号との位相差を位相比較器１３で検出して位相差に応じた電圧を出力する。位相比較器１３からの位相差に応じた電圧をループフィルタ１４で平滑化処理して、VCOブロック１５の制御電圧Vcontを生成するチャージポンプとして機能する。
【００３４】
ループフィルタ１４で平滑化処理された位相差に応じた電圧に基づいてバンド選択信号BSによりVCOブロック１５の複数の電圧制御発振器（VCO１）１５−１、（VCO２）１５−２，（VCO３）１５−３の発振周波数特性を選択して複数の発振周波数を生成するように制御することで、所望の周波数を得ることができる。所望の周波数の検査は、直接周波数を測定すること無く、Vcontモニタ端子１７におけるＤＣレベルの制御電圧Vcontを通常の検索工程で測定することにより行われる。
【００３５】
ここで、VCOブロック１５の複数の電圧制御発振器（VCO１）１５−１、（VCO２）１５−２，（VCO３）１５−３の発振周波数特性を、バンド選択回路１２からのバンド選択信号BSにより切り替えることにより可変周波数範囲の拡大が可能になっている。
【００３６】
図３は、VCOブロックの構成例を示す図である。図３において、VCOブロックは、インダクタンスL及びコンデンサCからなる共振回路２１と、位相差に応じた電圧Vcont３０が信号出力側に入力される可変容量素子２２及び可変容量素子２３と、バンド選択信号BSにより切り替え可能な２８で示すスイッチSW１を有する可変容量素子２４及び可変容量素子２５と、バンド選択信号BSにより切り替え可能な２９で示すスイッチSW２を有する可変容量素子２６及び可変容量素子２７とが並列に設けられている。
【００３７】
ここで、上述した位相差に応じた電圧に対するVCOブロック１５の複数の電圧制御発振器の発振周波数特性間の重なり部分は、複数の電圧制御発振器の共振回路２１に対して並列に設けられる容量を、可変容量素子２４及び可変容量素子２５と可変容量素子２６及び可変容量素子２７とをスイッチSW１及びスイッチSW２により接続を切り替えることにより、可変することにより設けるようにする。
【００３８】
なお、図７に示した従来のVCOブロックの構成例と比較して、共振回路２１に対して並列に設けられる容量は、可変容量素子２２及び可変容量素子２３による２Ｃ、可変容量素子２４及び可変容量素子２５による２Ｃと、可変容量素子２６及び可変容量素子２７による２Ｃとでそれぞれ２倍ずつ容量が増加している。これに応じて、ｆ＝１／２π√（ＬＣ）により発振周波数特性がVCOブロック１５の複数の電圧制御発振器の発振周波数特性間で重なり部分を有するように構成される。
【００３９】
図４は、３VCOの制御電圧Vcontと発振周波数Fの関係を示す図である。図４において、発振周波数の切替は、以下のように行われる。
まず、バンド選択信号BSにより３３で示すVCO１の発振周波数特性を選択する。このとき、バンド選択信号BSによりスイッチSW１及びスイッチSW２は共にオンの状態であるため、可変容量素子２４及び可変容量素子２５並びに可変容量素子２６及び可変容量素子２７は共に共振回路２１に対して並列に設けられる。このとき、Ｔ１時点〜Ｔ２時点で制御電圧Vcontにチャージポンプの電圧レンジVmin 〜Vmax’まで印加する。
【００４０】
その後に、バンド選択信号BSにより３２で示すVCO２の発振周波数特性を選択する。このとき、バンド選択信号BSによりスイッチSW１又はスイッチSW２のいずれかがオンの状態であるため、可変容量素子２４及び可変容量素子２５又は可変容量素子２６及び可変容量素子２７のいずれかは共振回路２１に対して並列に設けられる。このとき、Ｔ３時点〜Ｔ４時点で制御電圧Vcontにチャージポンプの電圧レンジVmin’〜Vmax’まで印加する。
【００４１】
また、その後に、バンド選択信号BSにより３１で示すVCO３の発振周波数特性を選択する。このとき、バンド選択信号BSによりスイッチSW１及びスイッチSW２は共にオフの状態であるため、可変容量素子２４及び可変容量素子２５並びに可変容量素子２６及び可変容量素子２７は共に共振回路２１に対して並列に設けられない。このとき、Ｔ５時点〜Ｔ６時点で制御電圧Vcontにチャージポンプの電圧レンジVmin’〜Vmaxまで印加する。
【００４２】
ここで、位相差に応じた電圧Vmin〜Vmin’に対して、VCOブロック１５の複数の電圧制御発振器の３１で示すVCO３、３２で示すVCO２の発振周波数特性間で重なり部分３４、位相差に応じた電圧Vmax’〜Vmaxに対して、３２で示すVCO２、３３で示すVCO３の発振周波数特性間で重なり部分３５を有するように構成される。これにより、位相差に応じた電圧の最大値Vmaxよりも小さい値Vmax’及び最小値Vminよりも大きい値Vmin’の間でバンド選択信号BSにより複数の電圧制御発振器の３３で示すVCO１、３２で示すVCO２、の発振周波数特性間の切替を行うことにより、周波数範囲fmin 〜fmaxまでの発振周波数を選択することができる。
【００４３】
上述したVCO切り替え機能を持つPLL周波数シンセサイザのVCOブロックでは、チャージポンプの電圧レンジVmin〜Vmaxの範囲内で設計仕様となる所望の周波数範囲fmin〜fmaxをカバーしていることを確認するために、本発明の実施の形態による検査では、PLL周波数シンセサイザを最低周波数fminでロックさせたときのＴ１時点の制御電圧VcontがVminより大きいこと、また、最高周波数fmaxでロックさせたときのＴ６時点の制御電圧VcontがVmax未満であることを確認する。本発明の実施の形態による検査によれば、ロック時のＤＣレベルの制御電圧Vcontのみを通常のＤＣ電圧レベルの検査工程で測定することで検査をすることができるので、従来の周波数を測定する方法に比べて、設備や検査の簡素化を図ることができる。
【００４４】
図５は、Vcontの重なり部分を生成する例を示す図であり、図５Ａは傾きを大きくする例、図５Ｂは間隔を狭くする例である。
図５Ａに示すように、４１で示すVCO３の発振周波数特性の傾きα３、４２で示すVCO２の発振周波数特性の傾きα２、４３で示すVCO１の発振周波数特性の傾きα１を大きくする。これにより、位相差に応じた電圧Vmin〜Vmin’に対して、４１で示すVCO３、４２で示すVCO２の発振周波数特性間で重なり部分４４，位相差に応じた電圧Vmax’〜Vmaxに対して、４２で示すVCO２、４３で示すVCO３の発振周波数特性間で重なり部分４５が生成される。ここで、各VCOの発振周波数特性の傾きを大きくするのは、図３に示したように、共振回路２１に対して並列に設けられる可変容量素子２２及び可変容量素子２３による２Ｃの容量を増加させることにより達成される。
【００４５】
また、図５Ｂに示すように、５１で示すVCO３の発振周波数特性と５２で示すVCO２の発振周波数特性の間隔Ｄ３−２、５２で示すVCO２の発振周波数特性と５３で示すVCO１の発振周波数特性の間隔Ｄ２−１の間隔を狭くする。これにより、位相差に応じた電圧Vmin〜Vmin’に対して、５１で示すVCO３、５２で示すVCO２の発振周波数特性間で重なり部分５４，位相差に応じた電圧Vmax’〜Vmaxに対して、５２で示すVCO２、５３で示すVCO３の発振周波数特性間で重なり部分５５が生成される。ここで、各VCOの発振周波数特性の間隔を狭くするのは、図３に示したように、共振回路２１に対して並列に設けられる可変容量素子２４及び可変容量素子２５による２Ｃと、可変容量素子２６及び可変容量素子２７による２Ｃとの容量を増加させることにより達成される。
【００４６】
なお、図８の従来の３VCOの制御電圧Vcontと発振周波数Fの関係では、位相差に応じた電圧Vmin〜Vmaxに対して、各VCOの発振周波数特性範囲に重なりがないため、両端のバンド以外、この例では８２で示すVCO２を選択している場合にも、制御電圧VcontがVminになる可能性があり、PLL周波数シンセサイザの回路のばらつき等の原因により８２で示すVCO２でロックしている良品を不良品と判断する恐れがある。
【００４７】
これを回避するために、図４に示すように、位相差に応じた電圧Vmin〜Vmin’、Vmax’〜Vmaxに対して、各VCOの発振周波数特性範囲に重なり部分３４，３５が設けられ、両端のバンド以外、この例では３２で示すVCO２を選択している場合での制御電圧Vcontの電圧範囲が最大値Vmaxよりも小さい値Vmax’及び最小値Vminよりも大きい値Vmin’になるように設定されている。
【００４８】
PLL周波数シンセサイザを最低周波数fminでロックさせたときの制御電圧Vcontは、仮に３２で示すVCO２若しくは３１で示すVCO３が選択されている場合にはVmin’以下にはならないため、制御電圧VcontがVmin’以下であれば必ず３３で示すVCO１を選択していることがわかる。また、制御電圧Vcontが最高周波数fmaxよりも低い周波数fmax’以上であれば同様に必ず３１で示すVCO３を選択していることがわかる。
【００４９】
そのため、PLL周波数シンセサイザを最低周波数fminでロックさせたときの制御電圧Vcont がVminより大きいこと、また、最高周波数fmaxでロックさせたときの制御電圧VcontがVmax未満であることを確認すれば、良品であると判定することができ、制御電圧Vcont がVminより小さいとき、また、制御電圧Vcont がVmaxより大きいことを確認すれば、不良品であると判定することができる。
【図面の簡単な説明】
【００５０】
【図１】本発明の実施の形態の通信装置が適用される携帯端末装置の構成を示すブロック図である。
【図２】VCO切り替え機能を持つＰＬＬ周波数シンセサイザを示す構成図である。
【図３】VCOブロックの構成例を示す図である。
【図４】３VCOの制御電圧Ｖｃｏｎｔと発振周波数ｆの関係を示す図である。
【図５】Vcontの重なり部分を生成する例を示す図であり、図５Ａは傾きを大きくする例、図５Ｂは間隔を狭くする例である。
【図６】従来のVCO切り替え機能を持つＰＬＬ周波数シンセサイザを示す構成図である。
【図７】従来のVCOブロックの構成例を示す図である。
【図８】従来の３VCOの制御電圧Vcontと発振周波数Fの関係を示す図である。
【符号の説明】
【００５１】
１…アンテナ、２…ＲＦ処理部、３…通信処理部、４…キー入力部、５…制御部、６…表示部、１１…リファレンス信号発生器、１２…バンド選択回路、１３…位相比較器、１４…ループフィルタ、１５…VCOブロック、１６…分周器、１７…Vcontモニタ端子、２１…共振回路、２２〜２７…可変容量素子、２８…スイッチＳＷ１、２９…スイッチＳＷ２、３０…Vcont、３１…VCO３、３２…VCO２、３３…VCO３、３４、３５…重なり部分、４１…VCO３、４２…VCO２、４３…VCO３、４４、４５…重なり部分、α１〜α３…傾き、５１…VCO３、５２…VCO２、５３…VCO３、５４、５５…重なり部分、Ｄ３−２、Ｄ２−１…間隔、
【図１】
2005151458.tif 000003
【図２】
2005151458.tif 000004
【図３】
2005151458.tif 000005
【図４】
2005151458.tif 000006
【図５】
2005151458.tif 000007
【図６】
2005151458.tif 000008
【図７】
2005151458.tif 000009
【図８】
2005151458.tif 000010